(57)【要約】【課題】展示販売する際のディスプレイ効果の向上によって商品の販売促進を図れる形状のプラスチックケースを提供する。【解決手段】吊下げプラスチックケースにおける側面板２３に、その上部で奥行き方向の略中央部に上下方向の折込用上部折曲げ線４１を設けるとともに、該折込用上部折曲げ線の下端から下方に向かって拡がる逆Ｖ字状の折込用下部折曲げ線４２を前面板２１及び後面板２２の方向に向かってそれぞれ設け、前面板から延出した上部蓋板３５の奥行き寸法を下部蓋板３３の奥行き寸法よりも短く形成し、かつ、該上部蓋板に折曲げ線を介して連接した上部差込片３６の両側縁にケース幅方向に突出した係止突片４３を設け、該上部差込片が挿入される後面板と両側面板との折曲げ部分に前記係止突片が係止する係止孔４４をそれぞれ設ける。【選択図】　　図１
2004067119.tif 000002
【特許請求の範囲】
【請求項１】
プラスチックシートを折曲げ線に沿って折曲げ形成した前面板、後面板及び左右一対の側面板を有するケース本体と、前記後面板の上端から延出した吊下片と、該ケース本体の上下開口をそれぞれ閉塞する上部蓋板及び下部蓋板とを有する吊下げプラスチックケースにおいて、前面板上端に設けられた前記上部蓋板に折曲げ線を介して連接した上部差込片の両側縁にケース幅方向に突出した係止突片を設けるとともに、該上部差込片が挿入される後面板と両側面板との折曲げ部分に前記係止突片が係止する係止孔をそれぞれ設けたことを特徴とする吊下げプラスチックケース。
【請求項２】
前記側面板には、その上部で奥行き方向の略中央部に上下方向の折込用上部折曲げ線を設けるとともに、該折込用上部折曲げ線の下端から下方に向かって拡がる逆Ｖ字状の折込用下部折曲げ線を前面板及び後面板の方向に向かってそれぞれ設けるとともに、前記前面板から延出した上部蓋板の奥行き寸法を下部蓋板の奥行き寸法よりも短く形成したことを特徴とする請求項１記載の吊下げプラスチックケース。
【発明の詳細な説明】
【０００１】
【発明の属する技術分野】
本発明は、吊下げプラスチックケースに関し、詳しくは、商品を収納するケース本体の上部に吊下片を備えている吊下げプラスチックケースであって、特に、化粧品等のチューブ状商品を収納して吊下げ状態で展示販売するのに適したプラスチックケースに関する。
【０００２】
【従来の技術及び発明が解決しようとする課題】
従来から、チューブ状の商品、例えば化粧品等をプラスチックケース内に収納して展示販売することが行われている。しかし、従来のプラスチックケースは、そのほとんどが角筒状のケース本体を有するものであって、全体形状も直方体や立方体となっていた。このため、チューブ状の商品では保持が不安定になることがあり、また、陳列棚に陳列したり、吊下げて陳列したりして展示販売する際にも平面的で画一的な感じになり、商品を積極的にアピールする効果が十分ではなかった。
【０００３】
また、角筒状以外の変形ケースの場合、開口部に内蓋板を設けることができないときがあり、このようなときには、開口を閉塞する蓋板を閉塞状態に保つことが困難で、蓋板が浮き上がった状態になってしまうことがあった。
【０００４】
そこで本発明は、内蓋板を設けなくても蓋板を閉塞状態に確実に保持することができ、さらに、展示販売する際のディスプレイ効果の向上によって商品の販売促進を図れる形状のプラスチックケースを提供することを目的としている。
【０００５】
【課題を解決するための手段】
上記目的を達成するため、本発明の吊下げプラスチックケースは、プラスチックシートを折曲げ線に沿って折曲げ形成した前面板、後面板及び左右一対の側面板を有するケース本体と、前記後面板の上端から延出した吊下片と、該ケース本体の上下開口をそれぞれ閉塞する上部蓋板及び下部蓋板とを有する吊下げプラスチックケースにおいて、前面板上端に設けられた前記上部蓋板に折曲げ線を介して連接した上部差込片の両側縁にケース幅方向に突出した係止突片を設けるとともに、該上部差込片が挿入される後面板と両側面板との折曲げ部分に前記係止突片が係止する係止孔をそれぞれ設けたことを特徴としている。
【０００６】
さらに、前記吊下げプラスチックケースにおいて、前記側面板には、その上部で奥行き方向の略中央部に上下方向の折込用上部折曲げ線を設けるとともに、該折込用上部折曲げ線の下端から下方に向かって拡がる逆Ｖ字状の折込用下部折曲げ線を前面板及び後面板の方向に向かってそれぞれ設けるとともに、前記前面板から延出した上部蓋板の奥行き寸法を下部蓋板の奥行き寸法よりも短く形成したことを特徴としている。
【０００７】
【発明の実施の形態】
図１は本発明の吊下げプラスチックケースの一形態例を示す展開図、図２は組立て後の吊下げプラスチックケースの斜視図、図３は吊下げプラスチックケースの要部を示す一部切欠き断面図、図４はチューブ状容器からなる商品を収納した状態を示す断面正面図、図５は同じく断面側面図である。この吊下げプラスチックケースは、所定形状に打ち抜かれ、所定位置に折曲げ線を設けた一枚のプラスチックシート１を、前記折曲げ線に沿って所定方向に折曲げるとともに、糊代片を接着することによって箱状に組立てられるものである。
【０００８】
前記プラスチックシート１の長方形状の基板部には、ケース本体形成用の折曲げ線１１〜１４によって前面板２１、後面板２２及び左右一対の側面板２３，２３と糊代片２４とが区画形成されている。前記後面板２２の上端からは、吊下孔３１を有する吊下片３２が延出しており、下端からは、折曲げ線１５、１６を介して下部蓋板３３及び下部差込片３４が設けられている。また、前面板２１の上端には、折曲げ線１７，１８を介して上部蓋板３５及び上部差込片３６が設けられており、両側面板２３の下端には折曲げ線１９を介して内蓋板３７がそれぞれ設けられている。
【０００９】
前記両側面板２３には、その上部で奥行き方向の略中央部に、上下方向の折込用上部折曲げ線４１が設けられるとともに、該折込用上部折曲げ線４１の下端から下方に向かって拡がる逆Ｖ字状の折込用下部折曲げ線４２，４２が前面板２１及び後面板２２の方向に向かってそれぞれ設けられている。さらに、上部蓋板３５の奥行き寸法Ｄｈは、下部蓋板３３の奥行き寸法Ｄｂよりも短く形成されているので、ケース本体組立時に、折込用上部折曲げ線４１及び折込用下部折曲げ線４２をケース内方に向かって折り曲げるとともに、上部蓋板３５を閉じることにより、ケース本体上部の奥行き寸法が、上部蓋板３５の奥行き寸法Ｄｈに相当する寸法となってケース本体下部より狭くなる状態となる。
【００１０】
また、上部蓋板３５から延出した上部差込片３６の両側縁には、上部蓋板３５や後面板２２の両側縁位置よりもケース幅方向に突出した係止突片４３がそれぞれ設けられ、この上部差込片３６が挿入される後面板２２と両側面板２３，２３との折曲げ部分には、前記係止突片４３が係止する係止孔４４がそれぞれ設けられている。なお、本例における係止孔４４は、円弧状の切込線によって形成されているが、スリット、長円形等の通孔で形成することもできる。さらに、係止突片４３の部分は、上部差込片３６の両側縁を、折曲げ線１８部分から先端に向かって次第に幅狭になるように形成し、係止突片４３における係止部４３ａの突出寸法を大きくしている。
【００１１】
このように形成したプラスチックシート１を、各折曲げ線を所定方向に折り曲げるとともに、糊代片２４を前面板２１の側縁部分に接着することにより、図２に示すような、上部の奥行き寸法が狭まり、上方に吊下片３２を有する吊下げプラスチックケースが得られる。この組立状態において、図３に示すように、係止突片４３の係止部４３ａが係止孔４４に係止することにより、ケース上部側プラスチックシートの復元力によって上部差込片３６が挿入位置から抜け出ることを防止でき、ケース本体開口部分に内蓋板を設けられない形状の場合でも、上部蓋板３５を所定の閉じ位置に保持することができる。
【００１２】
また、図４及び図５に示すように、ケース内に化粧品等のチューブ状商品５１を収納する場合、キャップ５２を下方に向けて収納し、ケース内方に折り曲げた両側面板２３の折込用上部折曲げ線４１がチューブ先端部５３の両端にそれぞれ当接するように設定するとともに、前面板２１と後面板２２との間でチューブ状商品５１の前後両面を挟み込むように設定することにより、チューブ状商品５１をケース内に確実に収納保持することができる。
【００１３】
このように、ケース上部の奥行き寸法を狭めるようにしたことにより、吊下げプラスチックケースを陳列棚に陳列したり、吊下げて陳列したりした場合、複数個を前後に並べた状態でもケース上部前面が視認可能な状態になるので、この部分を利用して効果的な商品宣伝を行うことができ、展示販売する際のディスプレイ効果の向上によって商品の販売促進を図れる。
【００１４】
なお、吊下げプラスチックケース内には、チューブ状の商品だけでなく、ボトル状の商品や箱状の商品も収納することが可能であり、これらの場合も、内方に折り込まれた折込用上部折曲げ線４１で商品の左右方向を、前面板２１と後面板２２とで商品の前後方向を、それぞれ保持することにより、各商品をケース内に確実に収納保持することができる。
【００１５】
また、下部蓋板３３の奥行き寸法に対する上部蓋板３５の奥行き寸法、折込用上部折曲げ線４１の長さ及び折込用下部折曲げ線４２の長さや拡がり角度は、ケースの大きさや収納する商品の形状に応じて設定することができる。さらに、前後を逆にして展示することもできる。
【００１６】
【発明の効果】
以上説明したように、本発明の吊下げプラスチックケースによれば、ケース本体開口部分に内蓋板を設けられない形状のケースの場合でも、蓋板を所定の閉じ位置に保持することができる。また、このような蓋板構造を、上部寸法を小さくしたケースに適用することにより、上部蓋板を閉塞位置に確実に保持できるとともに、該ケースの複数個を前後に並べた状態で展示販売する場合でも、ケース上部前面が視認可能な状態になるので、この部分を利用してディスプレイ効果を向上させることができ、商品の販売促進を図れる。また、収納した商品を確実に保持することもできる。
【図面の簡単な説明】
【図１】本発明の吊下げプラスチックケースの一形態例を示す展開図である。
【図２】組立て後の吊下げプラスチックケースの斜視図である。
【図３】吊下げプラスチックケースの要部を示す一部切欠き断面図である。
【図４】チューブ状容器からなる商品を収納した状態を示す断面正面図である。
【図５】同じく断面側面図である。
【符号の説明】
１…プラスチックシート、１１〜１９…折曲げ線、２１…前面板、２２…後面板、２３…側面板、２４…糊代片、３１…吊下孔、３２…吊下片、３３…下部蓋板、３４…下部差込片、３５…上部蓋板、３６…上部差込片、３７…内蓋板、４１…折込用上部折曲げ線、４２…折込用下部折曲げ線、４３…係止突片、４３ａ…係止部、４４…係止孔、５１…チューブ状商品、５２…キャップ、５３…チューブ先端部
【図１】
2004067119.tif 000003
【図２】
2004067119.tif 000004
【図３】
2004067119.tif 000005
【図４】
2004067119.tif 000006
【図５】
2004067119.tif 000007